(57)【要約】【課題】浴槽への湯張り時や入浴時に湯切れが起こるのを防止し易い貯湯式給湯機を得ること。【解決手段】貯湯タンク２０に貯留された湯を浴槽１８０への湯張りおよび浴槽内の浴水１８０ａの追焚きの少なくとも一方に供することができる貯湯式給湯機１５０を構成するにあたり、浴槽への給湯開始または浴水の追焚き開始から予め定められた追加沸上げ予定時間が経過するまでの間、貯湯タンク内の残湯量が第１の残湯量未満になったときには、第１の残湯量よりも大きな値の第２の残湯量を沸上げ目標値とする湯の追加沸上げを熱源機に行わせる制御装置１３０を設ける。【選択図】        図１
2010175199.tif 000002
【特許請求の範囲】
【請求項１】
貯湯タンクと、該貯湯タンクに貯留された湯水を湯に沸き上げる熱源機と、前記貯湯タンクに取り付けられて該貯湯タンク内の残湯量を検知する残湯量検知部と、該残湯量検知部の検知結果に基づいて前記熱源機を制御する制御装置と、該制御装置の入力装置として機能するリモートコントローラとを備え、前記貯湯タンクに貯留された湯を浴槽への湯張りおよび前記浴槽内の浴水の追焚きの少なくとも一方に供することができる貯湯式給湯機であって、
前記制御装置は、前記浴槽への給湯開始または前記浴水の追焚き開始から予め定められた追加沸上げ予定時間が経過するまでの間、前記残湯量が第１の残湯量未満になったときには、前記第１の残湯量よりも大きな値の第２の残湯量を沸上げ目標値とする湯の追加沸上げを前記熱源機に行わせることを特徴とする貯湯式給湯機。
【請求項２】
貯湯タンクと、該貯湯タンクに貯留された湯水を湯に沸き上げる熱源機と、前記貯湯タンクに取り付けられて該貯湯タンク内の残湯量を検知する残湯量検知部と、該残湯量検知部の検知結果に基づいて前記熱源機を制御する制御装置と、該制御装置の入力装置として機能するリモートコントローラとを備え、前記貯湯タンクに貯留された湯を浴槽への湯張りおよび前記浴槽内の浴水の追焚きの少なくとも一方に供することができる貯湯式給湯機であって、
前記制御装置は、前記浴槽への給湯開始または前記浴水の追焚き開始から前記熱源機により湯の沸き上げを実施する予め定められた追加沸上げ予定時間が経過するまでの間、前記残湯量が第１の残湯量未満になったときには、第１の残湯量よりも大きな値の第２の残湯量を沸上げ目標値として前記熱源機に湯の追加沸上げを行なわせることを特徴とする貯湯式給湯機。
【請求項３】
前記制御装置は、前記追加沸上げ時間が経過した後は、前記残湯量が前記第１の残湯量よりも小さな値の第３の残湯量未満になったときに該第３の残湯量よりも大きな値の第４の残湯量を沸上げ目標値する湯の追加沸上げを前記熱源機に行わせることを特徴とする請求項１または２に記載の貯湯式給湯機。
【請求項４】
前記制御装置は、前記リモートコントローラから使用人数の情報が入力されたときに、前記追加沸上げ予定時間を前記使用人数の関数として設定することを特徴とする請求項１〜３のいずれか１つに記載の貯湯式給湯機。
【請求項５】
前記制御装置は、前記追加沸上げ時間の計時処理を１日当たり１回行うことを特徴とする請求項１〜４のいずれか１つに記載の貯湯式給湯機。
【請求項６】
貯湯タンクと、該貯湯タンクに貯留された湯水を湯に沸き上げる熱源機と、前記貯湯タンクに取り付けられて該貯湯タンク内の残湯量を検知する残湯量検知部と、該残湯量検知部の検知結果に基づいて前記熱源機を制御する制御装置と、該制御装置の入力装置として機能するリモートコントローラとを備え、前記貯湯タンクに貯留された湯を浴槽への湯張りおよび前記浴槽内の浴水の追焚きの少なくとも一方に供することができる貯湯式給湯機であって、
前記制御装置は、深夜電力時間帯経過時での前記熱源機による沸上げ湯量が目標沸上げ湯量に達していなときには、前記目標沸上げ湯量に達するまでの残り沸上げ時間を算出し、前記浴槽への給湯開始時または前記浴水の追焚き開始時での前記残り沸上げ時間が第１残り時間未満であったときには、前記残り沸上げ時間を前記第１残り時間以上の値に補正し、前記補正後の残り沸上げ時間が経過するまでの間、前記残湯量が第１の残湯量未満になったときには、前記第１の残湯量よりも大きな値の第２の残湯量を目標沸上げ湯量とする湯の追加沸上げを前記熱源機に行わせることを特徴とする貯湯式給湯機。
【請求項７】
前記制御装置は、前記補正後の残り加熱時間が経過した後は、前記残湯量が前記第１の残湯量よりも小さな値の第３の残湯量未満になったときに該第３の残湯量よりも大きな値の第４の残湯量を沸上げ目標値する湯の追加沸上げを前記熱源機に行わせることを特徴とする請求項６に記載の貯湯式給湯機。
【請求項８】
前記制御装置は、前記リモートコントローラから使用人数の情報が入力されたときに、前記残り加熱時間を前記使用人数の関数として補正することを特徴とする請求項６または７に記載の貯湯式給湯機。
【請求項９】
前記制御装置は、前記残り加熱時間の補正処理を１日当たり１回行うことを特徴とする請求項６〜８のいずれか１つに記載の貯湯式給湯機。
【請求項１０】
貯湯タンクと、該貯湯タンクに貯留された湯水を湯に沸き上げる熱源機と、前記貯湯タンクに取り付けられて該貯湯タンク内の残湯量を検知する残湯量検知部と、該残湯量検知部の検知結果に基づいて前記熱源機を制御する制御装置と、該制御装置の入力装置として機能するリモートコントローラとを備え、前記貯湯タンクに貯留された湯を浴槽への湯張りおよび前記浴槽内の浴水の追焚きの少なくとも一方に供することができる貯湯式給湯機であって、
前記制御装置は、深夜電力時間帯経過時の前記貯湯タンク内の蓄熱量が目標熱量に達していなときには、前記目標熱量に達するまでの残り加熱時間を算出し、前記浴槽への給湯開始時または前記浴水の追焚き開始時での前記残り加熱時間が第１残り時間未満であったときには、前記残り加熱時間を前記第１残り時間以上の値に補正し、前記補正後の残り加熱時間が経過するまでの間、前記貯湯タンク内の蓄熱量が第１の蓄熱量未満になったときには、前記第１の蓄熱量よりも大きな値の第２の蓄熱量を目標熱量とする湯の追加沸上げを前記熱源機に行わせることを特徴とする貯湯式給湯機。
【請求項１１】
前記制御装置は、前記補正後の残り加熱時間が経過した後は、前記貯湯タンク内の蓄熱量が前記第１の蓄熱量よりも小さな値の第３の蓄熱量未満になったときに該第３の蓄熱量よりも大きな値の第４の蓄熱量を目標熱量とする湯の追加沸上げを前記熱源機に行わせることを特徴とする請求項１０に記載の貯湯式給湯機。
【請求項１２】
前記制御装置は、前記リモートコントローラから使用人数の情報が入力されたときに、前記残り加熱時間を前記使用人数の関数として補正することを特徴とする請求項１０または１１に記載の貯湯式給湯機。
【請求項１３】
前記制御装置は、前記残り加熱時間の補正処理を１日当たり１回行うことを特徴とする請求項１０〜１２のいずれか１つに記載の貯湯式給湯機。
【発明の詳細な説明】
【技術分野】
【０００１】
本発明は、貯湯式給湯機に関するものである。
【背景技術】
【０００２】
ヒータやヒートポンプユニット等の熱源機で沸き上げた湯を貯湯タンクに貯留し、ここから所望の給湯先に湯を供給する貯湯式給湯機では、一般に、２４時間のうちに使用すると予想される量の湯を電力料金が割安な深夜時間帯（深夜電力時間帯）に沸き上げて貯湯タンクに貯留し、その後は貯湯タンク内の湯を給湯に供する。このため、予想量を超える湯の消費が求められたときには必然的に湯が不足する。
【０００３】
昼間時間帯の電力料金は深夜電力時間帯の電力料金に比べて割高であるので、貯湯タンク内の湯が不足する「湯切れ」が昼間時間帯に起こるという事態はできるだけ回避することが望ましいが、湯を過剰に沸上げてもランニングコストが増加する。このため、例えば特許文献１に記載された貯湯式給湯機（給湯装置）では、貯湯タンクから給湯（使用）した湯の量に対応する熱量を一定期間に亘って算出し、該熱量に基づいて１日当たりの沸上げ目標熱量を求め、深夜電力時間帯終了時点での当該沸上げ目標熱量と貯湯タンク内の実際の蓄熱量との差から昼間時間帯に行うべき追加沸増しの所要時間を算出し、この時間だけ昼間時間帯に追加沸増しするようにしている。また、貯湯量不足が予測されるときにも、不足量を沸き増している。
【先行技術文献】
【特許文献】
【０００４】
【特許文献１】特開２００２−１６８５２４号公報
【発明の概要】
【発明が解決しようとする課題】
【０００５】
しかしながら、ユーザが消費する湯量は日によって異なり、風呂の利用者が多い日は特に多量となる。特許文献１に記載された貯湯式給湯機では、たとえ当該貯湯式給湯機におけるように貯湯タンクから給湯した湯の量に対応する熱量を一定期間に亘って算出して１日当たりの沸上げ目標熱量を求めても、当日の風呂の利用者数が過日よりも多いときには、浴槽への湯張りと入浴とが行われる間での使用熱量が上記の沸上げ目標熱量を上回って、湯切れが起こり易い。また、貯湯タンク内の湯を熱源として用いた熱交換により浴槽内の浴水を追い焚きすることができる貯湯式給湯機では、追焚きと入浴とが行なわれる間での使用熱量が上記の沸き上げ目標熱量を上回って、湯切れが起こり易い。
【０００６】
本発明は上記の事情に鑑みてなされたものであり、浴槽への湯張り時や入浴時に湯切れが起こるのを防止し易い貯湯式給湯機を得ることを目的とする。
【課題を解決するための手段】
【０００７】
本発明の貯湯式給湯機は、貯湯タンクと、貯湯タンクに貯留された湯水を湯に沸き上げる熱源機と、貯湯タンクに取り付けられて貯湯タンク内の残湯量を検知する残湯量検知部と、残湯量検知部の検知結果に基づいて熱源機を制御する制御装置と、制御装置の入力装置として機能するリモートコントローラとを備え、貯湯タンクに貯留した湯を浴槽への湯張りおよび浴槽内の浴水の追焚きの少なくとも一方に供することができる貯湯式給湯機であって、制御装置は、浴槽への給湯開始または浴水の追焚き開始から予め定められた追加沸上げ予定時間が経過するまでの間、残湯量が第１の残湯量未満になったときには、第１の残湯量よりも大きな値の第２の残湯量を沸上げ目標値とする湯の追加沸上げを熱源機に行わせることを特徴とする。
【発明の効果】
【０００８】
本発明の貯湯式給湯機では、浴槽への給湯開始または浴水の追焚き開始から予め定められた追加沸上げ予定時間が経過するまでの間に残湯量が第１の残湯量未満になると、熱源機による湯の追加沸上げが開始されるので、追加沸上げ予定時間を適宜設定することにより浴槽への湯張り時や入浴時に湯切れが起こるのを容易に防止することができる。
【図面の簡単な説明】
【０００９】
【図１】図１は、本発明の貯湯式給湯機の一例を示す概略図である。
【図２】図２は、図１に示した貯湯式給湯機での制御装置を概略的に示すブロック図である。
【図３】図３は、図１に示した貯湯式給湯機での追加沸上げ運転に係る制御の一例を概略的に示すフローチャートである。
【図４】図４は、本発明の貯湯式給湯機のうちで残湯量検知部の検知結果が条件値未満となったときに随時、追加沸上げ運転を行うように構成されたものでの追加沸上げ運転に係る制御の一例を概略的に示すフローチャートである。
【図５】図５は、本発明の貯湯式給湯機のうちで残り沸上げ時間をパラメータとして用いて追加沸上げ運転を制御する貯湯式給湯機での沸上げ制御部の一例を概略的に示すブロック図である。
【図６】図６は、本発明の貯湯式給湯機のうちで残り沸上げ時間をパラメータとして用いて追加沸上げ運転を制御するものでの制御手順の一例を概略的に示すフローチャートである。
【発明を実施するための形態】
【００１０】
以下、本発明の貯湯式給湯機の実施の形態について、図面を参照して詳細に説明する。なお、本発明は下記の形態に限定されるものではない。
【００１１】
実施の形態１．
図１は、本発明の貯湯式給湯機の一例を示す概略図である。同図に示す貯湯式給湯機１５０は、熱源機で沸き上げた湯を貯湯タンクに貯留し、ここから一般給湯先１７０と浴槽１８０とに湯を供給する機能を有するものであり、ヒートポンプユニット１０と給湯機本体１４０とリモートコントローラ１４５とを備えている。なお、「一般給湯先」とは、ユーザが給湯栓を操作（センサを感応させる場合を含む）することで開栓される給湯先を意味する。以下、貯湯式給湯機１５０の各構成要素について説明する。
【００１２】
上記のヒートポンプユニット１０は、冷媒を圧縮する圧縮機と、放熱器に相当する沸上げ用熱交換器と、膨張弁と、蒸発器と、これらを環状に接続する循環配管とを有する冷凍サイクル部（図示せず）を備え、後述する制御装置１００による制御の下に動作して熱源機として機能する。上記の冷凍サイクル部では、二酸化炭素等の冷媒が圧縮機で圧縮されて高温、高圧となった後に沸上げ用熱交換器で放熱し、膨張弁で減圧され、蒸発器で吸熱してガス状態となって圧縮機に吸入される。
【００１３】
一方、給湯機本体１４０は、貯湯タンク２０、残湯量検知部２５、給水管路４０、貯湯用循環管路５０、給湯管路６０、一般給湯混合弁６５、風呂給湯混合弁７０、一般用給湯管路８０、風呂用給湯管路９０、タンク側循環管路１００、追焚き用熱交換器１１０、風呂側循環管路１２０、および制御装置１３０等を有している。
【００１４】
上記の貯湯タンク２０は、給水管路４０から供給される水を貯留すると共にヒートポンプユニット１０で沸き上げられた湯を貯留する積層式の貯湯タンクであり、その下部には給水管路４０と貯湯用循環管路５０の往き管５０ａが、また上部には貯湯用循環管路５０の戻り管５０ｂと給湯管路６０がそれぞれ接続されている。この貯湯タンク２０は、給水管路４０からの給水により常に満水状態に保たれる。
【００１５】
貯湯タンク２０の上部には、貯湯タンク２０から給湯管路６０に流入する湯の温度を検知するためのタンク温度センサ２３が取り付けられている。また、貯湯タンク２０の周面部には、貯湯タンク２０内の湯水の温度を検知する第１〜第４沸上げ温度センサ２５ａ〜２５ｄが互いに異なる取付け高さをもって取り付けられており、貯湯用循環管路５０の往き管５０ａには、該往き管５０ａ内の湯水の温度を検知する第５沸上げ温度センサ２５ｅが設けられている。
【００１６】
上記第１〜第５沸上げ温度センサ２５ａ〜２５ｅのうちの第１〜第４沸上げ温度センサ２５ａ〜２５ｄは、貯湯タンク２０の内側頂部から下側に向かって湯の量を積算したときの貯湯量（残湯量）が所定量に相当する箇所、例えば１５リットル、５０リットル、１００リットル、１５０リットルに相当する箇所に配置されている。第３沸上げ温度センサ２５ｃの検知温度が９０℃であれば、９０℃以上の湯が当該第３沸上げ温度センサ２５ｃに対応する貯湯量（上記の例では１００リットル）以上貯湯タンク２０に貯留されていることになる。また、第５沸上げ温度センサ２５ｅは貯湯用循環管路５０の往き管５０ａに設けられており、該第５沸上げ温度センサ２５ｅの検知温度が例えば４６℃以上であれば、貯湯タンク２０内のほぼ全量が湯ということになる。したがって、第１〜第４沸上げ温度センサ２５ａ〜２５ｄは、貯湯タンク２０内の残湯量を検知する残湯量検知部２５としても機能する。
【００１７】
給水管路４０は、市水等の水を貯湯タンク２０、一般給湯混合弁６５、風呂給湯混合弁７０、および一般給湯先１７０に供給する管路であり、減圧弁３３、給水温度センサ３５、第１給水管部４０ａ、および第２給水管部４０ｂを有している。減圧弁３３は、第１給水管部４０ａの途中に設けられて、水道等の水源（図示せず）からの水圧を所定値に減じる。給水温度センサ３５は、第２給水管部４０ｂに設けられて、該第２給水管部４０ｂ内の水の温度を検知する。第１給水管部４０ａは水源と貯湯タンク２０とを繋ぎ、第２給水管部４０ｂは、減圧弁３３の下流側で第１給水管部４０ａから分かれて該第１給水管部４０ａと一般給湯混合弁６５および風呂給湯混合弁７０の各々とを繋ぐ。
【００１８】
貯湯用循環管路５０は、貯湯タンク２０の下部からヒートポンプユニット１０中の沸上げ用熱交換器を経由して貯湯タンク２０の上部に達する管路であり、貯湯用送水ポンプ４５、往き管５０ａ、および戻り管５０ｂを有している。貯湯用送水ポンプ４５は往き管５０ａに設けられており、該往き管５０ａは貯湯タンク２０の下部と上記沸上げ用熱交換器とを繋ぐ。戻り管５０ｂは、上記沸上げ用熱交換器と貯湯タンク２０の上部とを繋ぐ。
【００１９】
給湯管路６０は、入湯側が貯湯タンク２０の上部に接続され、二股分岐した出湯側での一方の流路が一般給湯混合弁６５に、また他方の流路が風呂給湯混合弁７０にそれぞれ接続されて、貯湯タンク２０内の湯を一般給湯混合弁６５と風呂給湯混合弁７０とに導く。
【００２０】
一般給湯混合弁６５は電動式の弁であり、制御装置１３０により開度を調整されて、第２給水管部４０ｂから供給される水と給湯管路６０から供給される湯とを所定の混合比の下に混合する。同様に、風呂給湯混合弁７０も電動式の弁であり、制御装置１３０により開度を調整されて、第２給水管部４０ｂから供給される水と給湯管路６０から供給される湯とを所定の混合比の下に混合する。これら一般給湯混合弁６５と風呂給湯混合弁７０とは、制御装置１３０により互いに別個に開度を制御することができるものであればよく、その構造は一体型、独立型等、適宜選定可能である。
【００２１】
一般用給湯管路８０は、一般用流量センサ７３と一般用温度センサ７５とを有しており、一般給湯混合弁６５と一般給湯先１７０とを繋ぐ。一般用流量センサ７３は一般用給湯管路８０での流量を検知し、一般用温度センサ７５は一般用給湯管路８０内の湯水の温度を検知する。図示の例では、一般用流量センサ７３の下流側に一般用温度センサ７５が設けられている。
【００２２】
風呂用給湯管路９０は、電磁弁８３と、風呂用流量センサ８５と、風呂用温度センサ８７とを有しており、風呂給湯混合弁７０と追焚き用循環管路１２０の戻り管１２０ｂとを繋ぐ。電磁弁８３は、制御装置１３０により開度を調整されて風呂用給湯管路９０での流量を調節し、風呂用流量センサ８５は風呂用給湯管路９０での流量を検知し、風呂用温度センサ８７は風呂用給湯管路９０と戻り管１２０ｂとの合流点付近で湯水の温度を検知する。図示の例では、電磁弁８３と、風呂用流量センサ８５と、風呂用温度センサ８７とが風呂給湯混合弁７０側からこの順番で設けられている。
【００２３】
タンク側循環管路１００は、貯湯タンク２０の上部から追焚き用熱交換器１１０を経由して貯湯タンク２０の下部に達する管路であり、タンク側送水ポンプ９５と、往き管１００ａと、戻り管１００ｂとを有している。タンク側送水ポンプ９５は戻り管１００ｂに設けられている。往き管１００ａは貯湯タンク２０の上部と追焚き用熱交換器１１０の上部とを繋ぎ、戻り管１００ｂは追焚き用熱交換器１１０の下部と貯湯タンク２０の下部とを繋ぐ。
【００２４】
追焚き用熱交換器１１０は、浴槽１８０内の浴水１８０ａを追焚きするための熱源機として機能し、タンク側循環管路１００を流れる湯と風呂側循環管路１２０を流れる浴水１８０ａとの間で熱交換を行って浴水１８０ａを加熱する。例えば、複数の伝熱プレート（図示せず）が高さ方向に積層されたプレート式の水−水熱交換器が追焚き用熱交換器１１０として用いられる。
【００２５】
風呂側循環管路１２０は、浴槽１８０から追焚き用熱交換器１１０を経由して再び浴槽１８０に戻る管路であり、浴水用温度センサ１１３、風呂側送水ポンプ１１５、往き管１２０ａ、および戻り管１２０ｂを有している。上記の浴水用温度センサ１１３は往き管１２０ａに設けられて、該往き管１２０ａ内の浴水１８０ａの温度を検知する。風呂側送水ポンプ１１５も往き管１２０ａに設けられている。往き管１２０ａは浴槽１８０と追焚き用熱交換器１１０の下部とを繋ぎ、戻り管１２０ｂは追焚き用熱交換器１１０の上部と浴槽１８０とを繋ぐ。なお、浴槽１８０内には浴槽アダプタ１７５が取り付けられ、上記の往き管１２０ａおよび戻り管１２０ｂの各々は当該浴槽アダプタ１７５に接続される。
【００２６】
制御装置１３０は、リモートコントローラ１４５から受信した指令または情報と、タンク温度センサ２３、第１〜第５沸上げ温度センサ２３ａ〜２３ｅ、給水温度センサ３５、一般用流量センサ７３、一般用温度センサ７５、風呂用流量センサ８５、風呂用温度センサ８７、または浴水用温度センサ１１３の検知結果とに応じて、ヒートポンプユニット１０、貯湯用送水ポンプ４５、一般給湯混合弁６５、風呂給湯混合弁７０、電磁弁８３、タンク側送水ポンプ９５、または風呂側送水ポンプ１１５の動作を制御する。
【００２７】
給湯機本体１４０を構成する上述の構成要素のうち、給水管路４０、貯湯用循環管路５０、一般用給湯管路８０、および風呂用給湯管路９０をそれぞれ除いた残りの構成要素は、外装ケース１３５に納められている。給水管路４０、貯湯用循環管路５０、一般用給湯管路８０、および風呂用給湯管路９０の各々は、その一部が外装ケース１３５の外部にまで延在している。
【００２８】
リモートコントローラ１４５は、複数の入力スイッチにより構成される操作部（図示せず）と、液晶表示パネル等のフラットディスプレイパネルを用いて構成されて操作部から入力された指令や情報、および制御装置１３０から受信した運転状況等の情報等を文字、図形、キャラクタ等で視覚表示する表示部（図示せず）と、メッセージのアナウンスや警告音の再生等を行う報知部（図示せず）と備えている。当該リモートコントローラ１４５は、制御装置１３０に有線接続または無線接続されて該制御装置１３０と通信し、制御装置１３０の入力装置として機能する。図示の例では制御装置１３０に１つのリモートコントローラ１４５のみが接続されているが、制御装置１３０には１以上の所望数のリモートコントローラを接続することができる。また、リモートコントローラ１４５は台所や浴室等、所望の場所に設置可能である。
【００２９】
上述の各構成要素を備えた貯湯式給湯機１５０は、給水管路４０から貯湯タンク２０に給水して該貯湯タンク２０、貯湯用循環管路５０、給湯管路６０、一般用給湯管路８０、風呂用給湯管路９０、およびタンク側循環管路１００の各々が満水状態にされた後に使用に供され、貯湯タンク２０内の水を湯に沸き上げる沸上げ運転、一般給湯先１７０への給湯運転、浴槽１８０への給湯運転、または浴水１８０ａの追焚き運転を適宜行う。
【００３０】
１日（湯の沸上げ開始から２４時間以内）に消費されると予想される量の湯を一度に沸き上げるための沸上げ運転（以下、「通常沸上げ運転」という）は、例えばユーザがリモートコントローラ１４５から沸上げ開始指令を入力すると、あるいはユーザがリモートコントローラ１４５から入力した沸上げ開始時刻になると、制御装置１３０による制御の下にヒートポンプユニット１０および貯湯用送水ポンプ４５が起動され、開始される。また、湯切れを防止するための沸上げ運転（以下、「追加沸上げ運転」という）は、貯湯タンク２０内の残湯量が条件値未満になったときに開始される。ユーザは、希望する沸上げ温度、沸上げ湯量、および上記条件値に係る情報を予めリモートコントローラ１４５から入力しておく。
【００３１】
通常沸上げ運転が開始されると、制御装置１３０は、沸上げ湯量に対応した所定の沸上げ温度センサの検知温度を監視し、該検知温度が所定温度以上になると、上記沸上げ湯量以上の湯が貯湯タンク２０に貯留されたと判断して通常沸上げ運転を停止させる。追加沸上げ運転は、後述するように、所定の終了条件が成立すると終了する。沸上げ運転が行われている間、貯湯タンク２０の下部から貯湯用循環管路５０の往き管５０ａに水が流入し、ヒートポンプユニット１０内の沸上げ用熱交換器に通水されて該沸上げ用熱交換器で湯に沸き上げられる。沸上げ用熱交換器で沸き上げられた湯は、貯湯用循環管路５０の戻り管５０ｂを通って貯湯タンク２０の上部から貯湯タンク２０内に戻される。
【００３２】
一方、一般給湯先１７０への給湯運転は、一般給湯先１７０をユーザが開栓して一般用流量センサ７３が所定流量（例えば１．５リットル／分）以上の水流を検知すると制御装置１３０による制御の下に開始される。当該給湯運転では、タンク温度センサ２３の検知温度と、給水温度センサ３５の検知温度と、ユーザがリモートコントローラ１４５から入力した給湯設定温度に係る情報とに基づき、制御装置１３０が一般給湯混合弁６５の開度（給湯管路６０側の開口率および第２給水管部４０ｂ側の開口率）を調整して、給湯管路６０からの湯と第２給水管部４０ｂからの水との混合比を調整する。
【００３３】
そして、一般用温度センサ７５の検知温度に基づいて制御装置１３０が一般給湯混合弁６５の開度を繰り返しフィードバック制御して、一般給湯先１７０での給湯温度をユーザの設定温度に調整する。一般給湯先１７０への給湯運転は、ユーザが一般給湯先１７０を閉栓して一般用流量センサ７３が上記所定流量以上の水流を検知しなくなると停止する。
【００３４】
また、浴槽１８０への給湯運転は、ユーザがリモートコントローラ１４５から湯張り開始指令、差し湯指令、足し湯指令等、浴槽１８０への給湯に係る指令を入力すると、制御装置１３０が電磁弁８３に開指令を出して開始される。当該給湯運転では、タンク温度センサ２３の検知温度と、給水温度センサ３５の検知温度と、ユーザがリモートコントローラ１４５から入力した湯張り温度、差し湯温度、足し湯温度等の温度情報に基づき、制御装置１３０が風呂給湯混合弁７０の開度（給湯管路６０側の弁開度および第２給水管部４０ｂ側の弁開度）を調整して、給湯管路６０からの湯と第２給水管部４０ｂからの水との混合比を調整する。
【００３５】
そして、風呂用温度センサ８７の検知温度に基づいて制御装置１３０が風呂給湯混合弁７０の開度を繰り返しフィードバック制御して、浴槽１８０への給湯温度をユーザの設定温度に調整する。浴槽１８０への給湯運転は、風呂用流量センサ８５の検知結果が湯張り湯量、差し湯湯量、または足し湯湯量等に達すると、あるいはリモートコントローラ１４５から浴槽１８０への給湯の停止を指示する指令が入力されると、制御装置１３０が電磁弁８３に閉指令を出して停止する。上記の湯張り湯量、差し湯湯量、足し湯湯量等の給湯量情報は、リモートコントローラ１４５からユーザにより予め入力される。
【００３６】
浴水１８０ａの追焚き運転は、ユーザがリモートコントローラ１４５から追焚き開始指令を入力すると、制御装置１３０による制御の下にタンク側送水ポンプ９５および風呂側送水ポンプ１１５が起動され、開始される。貯湯タンク２０に貯留されている湯がタンク側循環管路１００の往き管１００ａに流入する一方で浴槽１８０内の浴水１８０ａが風呂側循環管路１２０の往き管１２０ａに流入し、タンク側循環管路１００を流れる湯と風呂側循環管路１２０を流れる浴水１８０ａとの間で追焚き用熱交換器１１０により熱交換が行われる。その結果として、風呂側循環管路１２０を流れる浴水１８０ａが加熱され、該加熱された浴水１８０ａが風呂側循環管路１２０の戻り管１２０ｂから浴槽１８０に戻される。
【００３７】
この間、風呂用温度センサ８７および浴水用温度センサ１１３の検知結果に基づいてタンク側送水ポンプ９５および風呂側送水ポンプ１１５の送水量が制御装置１３０により制御され、浴水用温度センサ１１３の検知結果から浴槽１８０内の浴水１８０ａが所定温度にまで加熱されたと判断されると追焚き運転が終了する。
【００３８】
上述のようにして通常沸上げ運転、追加沸上げ運転、給湯運転、および追焚き運転を行う貯湯式給湯機１５０は、追加沸上げ運転に係る制御に特徴を有しているので、以下、制御装置１３０の構成および追加沸上げ運転に係る制御について、図２または図３を参照して詳述する。
【００３９】
図２は、図１に示した貯湯式給湯機での制御装置を概略的に示すブロック図である。同図に示すように、貯湯式給湯機１５０（図１参照）の制御装置１３０は、送受信処理部１２１、制御部１２５、および記憶部１２７を有している。
【００４０】
上記の送受信処理部１２１は、ヒートポンプユニット１０（図１参照）への指令の送信に係る処理、リモートコントローラ１４５（図１参照）からの指令や情報の受信および振り分けに係る処理、およびリモートコントローラ１４５への情報（例えば運転状況等）の送信に係る処理を行う。
【００４１】
制御部１２５は、送受信処理部１２１が振り分けてきたリモートコントローラ１４５からの指令や情報、および貯湯式給湯機１５０を構成する各センサの検知結果に基づいて、通常沸上げ運転、追加沸上げ運転、給湯運転、および追焚き運転を総括的に制御する。また、上記各センサの検知結果に基づいて貯湯式給湯機１５０の運転状況等に係る情報を纏め、送受信処理部１２１の動作を制御して当該情報をリモートコントローラ１４５宛に送信させる。これらの処理を行うために、制御部１２５は、沸上げ制御部１２２、給湯制御部１２３、および追焚き制御部１２４を有している。
【００４２】
上記の沸上げ制御部１２２は、ユーザがリモートコントローラ１４５から入力して送受信処理部１２１により振り分けられてきた通常沸上げ運転での沸上げ開始時刻、沸上げ温度、および沸上げ湯量に係る各情報を記憶部１２７に格納する。また、ユーザがリモートコントローラ１４５から入力して送受信処理部１２１により振り分けられてきた追加沸上げ運転に係る情報、具体的には追加沸上げ運転を開始する契機となる残湯量、後述する追加沸上げ予定時間に係る情報、および追加沸上げ運転の目標沸上げ湯量（目標残湯量）に係る各情報を記憶部１２７に格納する。
【００４３】
なお、追加沸上げ運転を開始する契機となる残湯量、追加沸上げ予定時間に係る情報、および追加沸上げ運転の目標沸上げ湯量は、ユーザがリモートコントローラ１４５から入力するようにする他に、貯湯式給湯機１５０のメーカが予め定めて記憶部１２７に格納するようにしてもよい。さらには、貯湯式給湯機１５０の当日の使用人数（特に浴槽１８０（図１参照）の使用予定者数）とユーザが希望する大体の湯量（例えば「多め」、「少なめ」、「おまかせ」等）との関数として表し、ユーザがリモートコントローラ１４５から当日の使用者数と希望する大体の湯量とを入力すると、上記追加沸上げ運転を開始する契機となる残湯量、追加沸上げ予定時間、および目標沸上げ湯量を沸上げ制御部１２２が自動的に設定するように貯湯式給湯機１５０を構成してもよい。このように貯湯式給湯機１５０を構成すると、その利便性が高まる。
【００４４】
上述の各情報を記憶部１２７に格納した沸上げ制御部１２２は、通常沸上げ運転での沸上げ開始時刻、沸上げ温度、および沸上げ湯量それぞれの情報と、第１〜第５沸上げ温度センサ２５ａ〜２５ｅ（図１参照）のいずれかの検知温度とを用いて、前述した通常沸上げ運転を制御する。第１〜第５沸上げ温度センサ２５ａ〜２５ｅのうちのどの温度センサの検知温度を用いるかは、第１〜第５沸上げ温度センサ２５ａ〜２５ｅの各々が対応する貯湯量（残湯量）と通常沸上げ運転時の沸上げ湯量とに応じて、例えば沸上げ制御部１２５が適宜選定する。記憶部１２７には、第１〜第５沸上げ温度センサ２５ａ〜２５ｅの各々に対応する貯湯量の情報が貯湯式給湯機１５０のメーカにより予め格納される。
【００４５】
また、追加沸上げ運転を開始する契機となる残湯量、追加沸上げ予定時間に係る情報、および追加沸上げ運転での目標沸上げ湯量それぞれの情報と、残湯量検知部２５（図１参照）の検知結果と、浴槽１８０への給湯の有無に係る情報と、追焚き運転の有無に係る情報とを用いて、前述した追加沸上げ運転を制御する。なお、沸上げ制御部１２２は、例えばカウンタにより上記追加沸上げ予定時間を計時する機能を有している。給湯制御部１２３は、浴槽１８０への給湯運転を行うときに所定の信号を沸上げ制御部１２２に送り、追焚き制御部１２４は、追焚き運転を行うときに所定の信号を沸上げ制御部１２２に送る。沸上げ制御部１２２は、これらの信号のいずれかを受けると、追加沸上げ予定時間の計時を開始する。
【００４６】
一方、給湯制御部１２３は、ユーザがリモートコントローラ１４５から入力して送受信処理部１２１により振り分けられてきた一般給湯先１７０（図１参照）での給湯設定温度に係る情報を記憶部１２７に格納し、当該情報と一般用流量センサ７３および一般用温度センサ７５（図１参照）それぞれの検知結果とを用いて、前述した一般給湯先１７０への給湯運転を制御する。また、ユーザがリモートコントローラ１４５から入力して送受信処理部１２１により振り分けられてきた湯張り温度、湯張り湯量、差し湯温度、足し湯温度等に係る各情報を記憶部１２７に格納し、当該情報と風呂用流量センサ８５および風呂用温度センサ８７それぞれの検知結果とを用いて、浴槽１８０への給湯（湯張り、差し湯、足し湯等）運転を制御する。さらには、送受信処理部１２１の動作を制御して、湯張り状況に係る情報をリモートコントローラ１４５宛に送信させる。
【００４７】
追焚き制御部１２４は、ユーザがリモートコントローラ１４５から入力して送受信処理部１２１により振り分けられてきた追焚き温度に係る情報を記憶部１２７に格納する。そして、当該情報と風呂用温度センサ８７および浴水用温度センサ１１３それぞれの検知結果とを用いて、前述した追焚き運転を制御する。さらには、送受信処理部１２１の動作を制御して、追焚き状況に係る情報をリモートコントローラ１４５宛に送信させる。
【００４８】
図３は、図１に示した貯湯式給湯機での追加沸上げ運転に係る制御の一例を概略的に示すフローチャートである。以下、図１または図２で用いた参照符号を適宜引用して、各ステップでの処理を説明する。
【００４９】
最初に行われるステップＳ１１では、浴槽１８０への湯張りまたは浴水１８０ａ（図１参照）の追焚きが開始されたか否かを沸上げ制御部１２２が判断する。このステップＳ１１で、湯張りおよび追焚きのいずれも開始されていないと判断されたときには該ステップＳ１１を繰り返し、湯張りおよび追焚きのいずれかが開始されたと判断されたときにはステップＳ１２に進む。
【００５０】
ステップＳ１２では、追加沸上げ予定時間Ｔ1を沸上げ制御部１２２が設定すると共に、該追加沸上げ予定時間Ｔ1を計時するためのカウンタの値を初期値「００」にセットした後、計時を開始する。例えば入浴予定者が４人の場合、追加沸上げ予定時間Ｔ1は、浴槽１８０への湯張りに要する時間（湯張り時間）が２０分程度、１人当たりの入浴時間が２０分程度として計１００分程度に設定される。
【００５１】
次いで行われるステップＳ１３では、沸上げ制御部１２２が沸増しフラグを所定値に設定する。図示の例では、当該ステップＳ１３で沸増しフラグが「１」に設定されている。沸増しフラグは、追加沸上げ運転での沸上げ開始条件および目標沸上げ湯量を規定するものであり、当該沸増しフラグが「１」のときには、残湯量検知部２５（図１参照）により検知される残湯量が第１の残湯量（例えば１５０リットル）未満になったときに追加沸上げ運転を開始し、当該第１の残湯量よりも大きな値の第２の残湯量（例えば貯湯タンク内の全量）を目標沸上げ湯値とする。また、沸増しフラグが「０」のときには、追加沸上げ予定時間Ｔ1の経過後に残湯量検知部２５により検知される残湯量が上記第１の残湯量よりも小さな値の第３の残湯量（例えば５０リットル）未満になると追加沸上げ運転を開始し、当該第３の残湯量よりも大きな値の第４の残湯量（例えば１００リットル）を目標沸上げ湯量とする。上記第２の残湯量と上記第４の残湯量とは、通常、上記第２の残湯量の方が第４の残湯量より大きな値に設定される。
【００５２】
次に行われるステップＳ１４では、前述のカウンタが追加沸上げ予定時間Ｔ1の計時をし、ステップＳ１５では、カウンタの計時結果に基づいて、追加沸上げ予定時間Ｔ1が経過したか否かを沸上げ制御部１２２が判断する。このステップＳ１５で追加沸上げ予定時間Ｔ1が未だ経過していないと判断されたときには後述するステップＳ１７に進み、追加沸上げ予定時間Ｔ1が経過したと判断されたときにはステップＳ１６に進む。
【００５３】
なお、沸上げ制御部１２２は、ステップＳ１４でカウンタが追加沸上げ予定時間Ｔ1の計時をすると残湯量検知部２５の検知結果を監視し、追加沸上げ予定時間Ｔ1が経過するまでの間に貯湯タンク２０内の残湯量が上記第１の残湯量未満になると、上記第２の残湯量を目標沸上げ湯量として追加沸上げ運転を開始する。
【００５４】
ステップＳ１６では、沸上げ制御部１２２が沸増しフラグを「０」に再設定する。追加沸上げ予定時間Ｔ1が経過する前に追加沸上げ運転を開始した場合には、追加沸上げ予定時間Ｔ1が経過した時点でたとえ目標沸上げ湯量に達していなくても、沸増しフラグを「０」に再設定する。
【００５５】
この後、沸増しフラグが「１」であるか否かを沸上げ制御部１２２が判断するステップＳ１７が行われる。該ステップＳ１７で沸増しフラグが「１」であると判断されたとき、すなわち前述のステップＳ１５で追加沸上げ予定時間Ｔ1が未だ経過していないと判断されたときにはステップＳ１８に進んで、上記第１の残湯量未満で沸き上げを開始し、上記第２の残湯量以上で沸き上げを終了するという制御状態となる。
【００５６】
一方、ステップ１７で沸増しフラグが「１」ではない、すなわち「０」であると判断されたときにはステップＳ１９に進み、上記第３の残湯量未満で沸き上げを開始し、上記第４の残湯量以上で沸き上げを終了するという制御状態となる。ステップＳ１８、Ｓ１９の後、前述の追加沸き上げ予定時間Ｔ1に対する計時をするステップ１４に戻りループ状態となる。
【００５７】
上述のようにして追加沸上げ運転を制御する貯湯式給湯機１５０では、浴槽１８０への湯張り開始または浴水１８０ａ（図１参照）の追焚き開始から追加沸上げ予定時間が経過するまでの間に残湯量が第１の残湯量未満になると、ヒートポンプユニット１０（図１参照）による湯の追加沸上げが開始されるので、浴槽１８０への湯張り時や入浴時に湯切れが起き難い。当日の湯の使用量（追焚き運転時に熱源として使用される湯の量を含む）が過日に比べて多い場合でも、浴槽１８０への湯張り時や入浴時（追焚き時）に湯切れが起き難い。
【００５８】
また、貯湯式給湯機１５０の当日の使用人数（特に浴槽１８０の使用予定者数）とユーザが希望する大体の湯量（例えば「多め」、「少なめ」、「おまかせ」等）とに応じて、追加沸上げ運転を開始する契機となる残湯量、追加沸上げ予定時間、および目標沸上げ湯量を設定することができるので、追加沸上げ運転での沸上げ湯量が過剰になってしまうのを防止して消費エネルギーを削減することも容易である。
【００５９】
実施の形態２．
本発明の貯湯式給湯機は、残湯量検知部の検知結果が条件値未満となったときに、沸上げ制御部が追加沸上げ運転を随時行うように構成することができる。貯湯式給湯機をこのように構成した場合、沸上げ制御部は、浴槽への給湯または浴水の追焚き開始から予め定められた追加沸上げ予定時間が経過するまでの間、実施の形態１で説明した貯湯式給湯機におけるのと同湯に、第１の残湯量よりも大きな値の第２の残湯量を目標沸上げ湯量として追焚き運転を行う。
【００６０】
浴槽への給湯や浴水の追焚きが開始されていないときに追加沸上げ運転を開始する契機となる残湯量は、追加沸上げ予定時間内に追加沸上げ運転を開始する契機となる第１の残湯量と同じ量とすることもできるし、異なる量とすることもできる。また、追加沸上げ予定時間や、目標沸上げ湯量は、湯張り時や入浴時に湯切れが起こるのを防止するという観点から、実施の形態１での基準と同じ基準の下に設定することが好ましい。
【００６１】
図４は、残湯量検知部の検知結果が条件値未満となったときに随時、追加沸上げ運転を行うように構成された貯湯式給湯機での追加沸上げ運転に係る制御の一例を概略的に示すフローチャートである。同図に示す例では、追加沸上げ予定時間を「Ｔ2」としているので、図３に示したステップＳ１２に相当するステップを参照符号「Ｓ１２ａ」で示し、図３に示したステップＳ１４に相当するステップを参照符号「Ｓ１４ａ」で示し、図３に示したステップＳ１５に相当するステップを参照符号「Ｓ１５ａ」で示している。
【００６２】
図４と図３との対比から明らかなように、図４に示す制御手順は、ステップＳ１３とステップＳ１４ａ（図３でのステップＳ１４に相当）との間でステップＳ２０が行われるという点を除き、図３に示した制御手順と同じであるので、ここではステップＳ２０についてのみ説明し、他のステップの説明は省略する。
【００６３】
上記のステップＳ２０では、沸上げ運転（通常沸上げ運転または追加沸上げ運転）を実行中であるか否かを沸上げ制御部１２２（図２参照）が判断する。
【００６４】
このステップＳ２０で沸上げ運転を実行中ではないと判断されたときにはステップＳ１５ａに進み、沸上げ運転を実行中であると判断されたときには、沸上げ運転により貯湯動作を行なっているので、ステップＳ１４ａに進んで追加沸上げ予定時間Ｔ2の計時（カウント）を行なう。
【００６５】
上述のようにして沸上げ制御部１２２が追加沸上げ運転を制御するように構成された貯湯式給湯機においても、実施の形態１で説明した貯湯式給湯機１０におけるのと同様の理由から、浴槽１８０への湯張り時や入浴時に湯切れが起き難い。当日の湯の使用量（追焚き運転時に熱源として使用される湯の量を含む）が過日に比べて多い場合でも、浴槽１８０への湯張り時や入浴時（追焚き時）に湯切れが起き難い。
【００６６】
実施の形態３．
貯湯式給湯機では、通常沸上げ運転を一旦開始すると、たとえ電気料金が割安な深夜電力時間帯を経過しても目標沸上げ湯量に達するまでは通常沸上げ運転を継続するという動作モードが多用される。このような動作モードの下に貯湯式給湯機を運転する場合には、実施の形態１，２で説明した追加沸上げ予定時間に代えて残り沸上げ時間をパラメータとして用いて、追加沸上げ運転を制御することができる。
【００６７】
この場合、沸上げ制御部は、深夜電力時間帯を経過した時点での沸上げ湯量が目標沸上げ湯量に達しているか否かを残湯量検知部の検知結果に基づいて判断する。そして、例えば通常沸上げ運転を開始してから深夜電力時間帯が経過するまでの間に予想以上の湯が消費された等の理由により、深夜電力時間帯が経過した時点での沸上げ湯量が目標沸上げ湯量に達していないときには、目標沸上げ湯量に達するまでの残り沸上げ時間を算出する。この後、浴槽への給湯開始時または浴水の追焚き開始時に上記の残り沸上げ時間が所定時間（以下、「第１残り時間」という）未満であるか否かに応じて、追加沸上げ運転の制御内容を適宜選定する。
【００６８】
すなわち、浴槽への給湯開始時または浴水の追焚き開始時に上記の残り沸上げ時間が第１残り時間未満であったときには、例えば現在の残湯量と追加沸上げ運転で沸き上げられる湯量との合算量が、浴槽への湯張り時や入浴時に貯湯タンクから浴槽または追焚き用熱交換器に供給されると予想される量以上になるように、上記の残り沸上時間を補正して第１残り時間に更新する。そして、当該第１残り時間が経過するまでの間に貯湯タンク内の残湯量が第１の残湯量未満になると、該第１の残湯量よりも大きな値の第２の残湯量を沸上げ目標値とする湯の追加沸上げ運転を開始する。
【００６９】
一方、浴槽への給湯開始時または浴水の追焚き開始時に上記の残り沸上げ時間が第１残り時間以上であったときには、残り沸上げ時間を補正しない。
【００７０】
なお、上述した第１残り時間は、通常沸上げ運転での目標沸上げ湯量に相当する熱量Ｑ1を算出し、残湯量検知部の検知結果に基づいて求められる深夜電力時間帯経過時での残湯量からその蓄熱量Ｑ2を算出し、上記の熱量Ｑ1と蓄熱量Ｑ2との差（Ｑ1−Ｑ2）を目標熱量としたときに、追加沸上げ運転で当該目標熱量を得るために要する時間に相当する。このとき、第１残り時間を求めるうえで必要となる熱源機の加熱能力に関する情報は、貯湯式給湯機のメーカにより制御装置の記憶部に予め格納される。
【００７１】
例えば、例えばヒートポンプユニットが二酸化炭素を冷媒として用いたものである場合、上記の加熱能力Ｙは、外気温Ｔａが７℃未満のときには下式（ｉ）
Ｙ＝０．１６×Ｔa＋６．７    ……（ii）
により、また外気温Ｔaが７℃以上のときには下式（ii）
Ｙ＝−０．１８Ｔa＋９．１    ……（ii）
により、それぞれ算出することができる。なお、貯湯式給湯機での所望箇所、例えばヒートポンプユニットの外表面には、外気温を検知するための温度センサが予め取り付けられ、該温度センサの検知結果は制御装置により監視される。
【００７２】
残り沸上げ時間をパラメータとして用いて追加沸上げ運転を制御する貯湯式給湯機の構成は、外気温を検知する上述の温度センサを設ける点、および沸上げ制御部の機能が若干変更される点を除けは、図１に示した貯湯式給湯機１５０と同様の構成とすることができるので、ここではその図示を省略する。以下、図１または図２で用いた参照符号を適宜引用しつつ図５および図６を参照して、当該貯湯式給湯機での追加沸上げ運転に係る制御を詳述する。
【００７３】
図５は、残り沸上げ時間をパラメータとして用いて追加沸上げ運転を制御する貯湯式給湯機での沸上げ制御部の一例を概略的に示すブロック図である。同図に示す沸上げ制御部１２２Ａは、第１沸上げ制御部１２２ａ、使用熱量算出部１２２ｂ、目標熱量算出部１２２ｃ、第２沸上げ制御部１２２ｄ、蓄熱量算出部１２２ｅ、残り加熱時間算出部１２２ｆ、残り加熱時間計時部１２２ｇ、および残り加熱時間補正部１２２ｈを有している。
【００７４】
上記の第１沸上げ制御部１２２ａは、通常沸上げ運転を制御する。通常沸上げ運転での目標沸上げ湯量に相当する目標熱量は、例えばユーザが「湯量」としてリモートコントローラ１４５（図１参照）から入力することもできるが、図示の沸上げ制御部１２２Ａでは、過去一定期間（例えば過去７日間）の実際の消費熱量のデータを２４時間毎に使用熱量算出部１２２ｂが算出して管理し、当該データに基づいて目標熱量算出部１２２ｃが２４時間当たりの平均の消費熱量を算出し、該平均の消費熱量を上記目標熱量としている。
【００７５】
一方、第２沸上げ制御部１２２ｄは、追加沸上げ運転を制御する。この追加沸上げ運転に係る制御は、深夜電力時間帯が経過した時点での貯湯タンク２０（図１参照）内の蓄熱量が通常沸上げ運転での目標熱量に達していないときに残り加熱時間算出部１２２ｆにより算出される残り加熱時間、すなわち目標熱量に達するまでの残り所要時間と、残り加熱時間の経過を計時する残り加熱時間計時部１２２ｇの計時結果と、ユーザがリモートコントローラ１４５から入力した貯湯式給湯機の当日の使用人数（特に浴槽の使用予定者数）に係る情報とを用いて行われる。
【００７６】
このとき、蓄熱量算出部１２２ｅは、残湯量検知部２５（図１参照）の検知結果に基づいて、深夜電力時間帯が経過した時点での貯湯タンク２０内の蓄熱量を算出し、残り加熱時間算出部１２２ｆは上述のように残り加熱時間を算出する。該残り加熱時間算出部１２２ｆは時計機能を有しており、該時計機能による時刻と、例えばユーザがリモートコントローラ１４５から入力して記憶部１２７（図２参照）に格納された深夜電力時間帯の時刻に係る情報とに基づいて、深夜電力時間帯が経過したか否かを判断する。そして、追加沸上げ運転での目標熱量と、タンク温度センサ２３の検知温度と、給水温度センサ３５（図１参照）の検知温度と、熱源機の加熱能力とを用いて残り加熱時間を算出する。残り加熱時間補正部１２２ｈは、上記使用人数に係る情報に基づいて残り加熱時間を補正する。
【００７７】
図６は、残り沸上げ時間をパラメータとして用いて追加沸上げ運転を制御する際の制御手順の一例を概略的に示すフローチャートである。以下、図１または図５で用いた参照符号を適宜引用して、各ステップでの処理を説明する。
【００７８】
最初に行われるステップＳ３１では、深夜電力時間帯が経過したか否かを残り加熱時間算出部１２２ｆが判断する。このステップＳ３１で深夜電力時間帯が経過していないと判断されたときには該ステップＳ３１を繰り返し、深夜電力時間帯を経過したと判断されたときには、ステップＳ３２に進む。
【００７９】
ステップＳ３２では、目標熱量算出部１２２ｃが算出した目標熱量と、蓄熱量算出部１２２ｅが算出した深夜電力時間帯経過時における貯湯タンク２０内の蓄熱量と、タンク温度センサ２３の検知温度と、給水温度センサ３５（図１参照）の検知温度と、熱源機（ヒートポンプユニット１０（図１参照））の加熱能力とを用いて、残り加熱時間算出部１２２ｆが残り加熱時間を算出する。
【００８０】
次いで行われるステップＳ３３では、ステップＳ３２で残り加熱時間算出部１２２ｆが算出した残り加熱時間Ｔｇを、残り加熱時間計時部１２２ｇがカウンタにセットする。この段階では、残り加熱時間計時部１２２ｇは残り加熱時間Ｔｇの計時を開始しない。
【００８１】
次ぎに行われるステップＳ３４では、例えば第１沸上げ制御部１２２ａが貯湯用送水ポンプ４５（図１参照）を駆動させているが否かに応じて、通常沸上げ運転が継続されているか否かを残り加熱時間計時部１２２ｇが判断する。例えば第１沸上げ制御部１２２ａは、貯湯用送水ポンプ４５を起動させたとき、および停止させたときに、それぞれ所定の信号を残り加熱時間計時部１２２ｇに送る。当該ステップＳ３４で通常沸上げ運転が継続されていないと判断されたときには後述するステップＳ３６に進み、通常沸上げ運転が継続されていると判断されたときにはステップＳ３５に進む。
【００８２】
ステップＳ３５では、通常沸上げ運転の継続により貯湯タンク２０内の蓄熱量が漸次増加して目標熱量に近づくことに伴って、残り加熱時間計時部１２２ｇが残り加熱時間Ｔｇを例えば周期的に再計算して更新する。具体的には、深夜電力時間帯経過時を起算点とする通常沸上げ運転の継続時間を上記の残り加熱時間Ｔｇから減算してゆく。
【００８３】
次いで行われるステップＳ３６では、浴槽１８０への湯張りまたは浴水１８０ａ（図１参照）の追焚きが開始されたか否かを第２沸上げ制御部１２２ｄ（図５参照）が判断する。このステップＳ３６で、湯張りおよび追焚きのいずれも開始されていないと判断されたときには後述するステップＳ３９に進み、湯張りおよび追焚きのいずれかが開始されたと判断されたときにはステップＳ３７に進む。
【００８４】
ステップＳ３７では、湯張りおよび追焚きのいずれかが開始された時点での残り加熱時間Ｔｇが第１残り時間未満であるか否かを残り加熱時間補正部１２２ｈ（図５参照）が判断する。上記第１残り時間は、浴槽１８０への湯張り時や入浴時に貯湯タンク２０から浴槽１８０または追焚き用熱交換器１１０（図１参照）に供給されると予想される量の湯を沸き上げるのに要する時間に相当し、残り加熱時間補正部１２２ｈは、実施の形態１，２で説明した追加沸上げ予定時間の算出と同様の基準の下に、ユーザがリモートコントローラ１４５（図１参照）から入力した貯湯式給湯機の当日の使用人数（特に浴槽１８０の使用予定者数）に係る情報を用いて当該第１残り時間を算出する。
【００８５】
このステップＳ３７で残り加熱時間Ｔｇが第１残り時間以上であると判断されたときには後述するステップＳ３９に進み、残り加熱時間Ｔｇが第１残り時間未満であると判断されたときにはステップＳ３８に進んで、残り加熱時間計時部１２２ｇが計時すべき残り加熱時間Ｔｇを残り加熱時間補正部１２２ｈが上記第１残り時間に補正する。
【００８６】
次いで行われるステップＳ３９では、残り加熱時間Ｔｇが０（ゼロ）より大きいか否かを第２沸上げ制御部１２２ｄが判断する。そして、残り加熱時間Ｔｇ1が０（ゼロ）より大きいときにはステップＳ４０に進み、残り加熱時間Ｔｇが０（ゼロ）のときにはステップＳ４１に進む。
【００８７】
ステップＳ４０では、第１の残湯量未満で沸き上げを開始し、第２の残湯量以上で沸き上げを終了するという制御状態となる。なお、上記第１、第２の残湯量は、例えば実施の形態１，２で説明した第１、第２の残湯量と同量とされる。
【００８８】
一方、ステップＳ４１では、第３の残湯量未満で沸き上げを開始し、第４の残湯量以上で沸き上げを終了するという制御状態となる。なお、上記第３、第４の残湯量は、例えば実施の形態１，２で説明した第３、第４の残湯量と同量とされる。ステップＳ４０、Ｓ４１の後、ステップＳ３４に戻り、ループ状態となる。
【００８９】
上述のようにして残り沸上げ時間をパラメータとして用いて追加沸上げ運転を制御するように貯湯式給湯機を構成した場合も、実施の形態１，２で説明した貯湯式給湯機と同様に、実施の形態１で説明した貯湯式給湯機１０におけるのと同様の理由から、浴槽１８０への湯張り時や入浴時に湯切れが起き難い。当日の湯の使用量（追焚き運転時に熱源として使用される湯の量を含む）が過日に比べて多い場合でも、浴槽１８０への湯張り時や入浴時（追焚き時）に湯切れが起き難い。
【００９０】
また、湯張りや追い焚きの開始時に残り加熱時間が第１残り時間以上であったときには残り加熱時間の補正を行わないようにしているので、所定期間内の使用湯量（例えば過去７日間の使用湯量）から算出された目標沸き上げ湯量に比べて当日の使用湯量が増加していない場合には、余分な沸上げ動作が防止される。
【００９１】
なお、図６に示したステップＳ３８では残り加熱時間Ｔｇを第１残り時間に補正したが、残り加熱時間Ｔｇの補正は、該残り加熱時間Ｔｇが第１残り時間以上の時間、例えば残り加熱時間Ｔｇと第１残り時間との合計時間になるように行うこともできる。
【００９２】
以上、本発明の貯湯式給湯機について実施の形態を挙げて説明したが、前述のように、本発明は上記の形態に限定されるものではない。例えば、実施の形態３では湯量に着眼して追加沸上げ運転を制御しているが、当該湯量を熱量に置き換えて追加沸上げ運転を制御してもよい。熱量に置き換えた場合、制御装置は、深夜電力時間帯経過時の貯湯タンク内の蓄熱量が目標熱量に達していなときに目標熱量に達するまでの残り加熱時間を算出し、浴槽への給湯開始時または浴水の追焚き開始時での残り加熱時間が第１残り時間未満であったときには、残り加熱時間を第１残り時間以上の値に補正し、貯湯タンク内の蓄熱量が第１の蓄熱量未満になったときには、第１の蓄熱量よりも大きな値の第２の蓄熱量を目標熱量とする湯の追加沸上げを熱源機に行わせることになる。
【００９３】
また、実施の形態１，２で説明した追焚き予定時間の計時処理や実施の形態３で説明した残り加熱時間の計時処理は、１回の追加沸上げ運転で貯湯式給湯機の当日の使用人数（特に浴槽の使用予定者数）に対応した量の湯を確保できさえすれば、２４時間（１日）当たり１回で実用上十分である。すなわち、本発明の貯湯式給湯機での特徴部分である追加沸上げ運転は、１回の追加沸上げ運転で貯湯式給湯機の当日の使用人数（特に浴槽の使用予定者数）に対応した量の湯を確保できるように条件設定すれば、２４時間（１日）当たり１回で実用上十分である。実施の形態で説明したように、リモートコントローラから使用人数の情報が入力されたときに、制御装置が上記の追焚き予定時間や残り加熱時間を使用人数の関数として算出して自動的に設定するように貯湯式給湯機を構成すれば、その利便性が高まる。勿論、２４時間（１日）当たり複数回の追加沸上げ運転を行うことが可能なように貯湯式給湯機を構成してもよい。
【００９４】
熱源機としては、ヒートポンプユニット以外にも電熱式のヒータやガス燃焼装置等を用いることもできる。熱源機は、その種類に応じて、貯湯タンクの外側または貯湯タンクの内側に配置される。本発明については、上述した以外にも種々の変形、修飾、組み合わせ等が可能である。
【産業上の利用可能性】
【００９５】
本発明の貯湯式給湯機は、家庭用および業務用の給湯機として好適に用いることができる。
【符号の説明】
【００９６】
１０  ヒートポンプユニット（熱源機）
２０  貯湯タンク
２５  残湯量検知部
４０  給水管路
５０  貯湯用循環管路
６０  給湯管路
６５  一般給湯混合弁
７０  風呂給湯混合弁
８０  一般用給湯管路
９０  風呂用給湯管路
１００  タンク側循環管路
１１０  追焚き用熱交換器
１２０  風呂側循環管路
１２２，１２２Ａ  沸上げ制御部
１２３  給湯制御部
１２４  追焚き制御部
１２５  制御部
１３０  制御装置
１４５  リモートコントローラ
１５０  貯湯式給湯機
１８０  浴槽
１８０ａ  浴水
【図１】
2010175199.tif 000003
【図２】
2010175199.tif 000004
【図３】
2010175199.tif 000005
【図４】
2010175199.tif 000006
【図５】
2010175199.tif 000007
【図６】
2010175199.tif 000008